(57)【要約】【課題】提灯を提灯収納箱に安定させて確実に保持することができる提灯保持枠及びこれを収納する提灯収納箱の提供。【解決手段】一枚のダンボール板の中央に底板２が配置され、底板２の両側に側板３ａ，３ｂが配置され、側板３ａ，３ｂに上部押さえ板４ａ，４ｂが接続され、底板２の四隅と側板３ａ，３ｂとの折れ線の両端に、提灯保持枠１を形成する際に起立して下の提灯側６の４カ所の動きを規制する提灯側押さえ７が形成され、側板３ａ，３ｂには、側板３ａ，３ｂと上部押さえ板４ａ，４ｂとの折れ線５を上辺とした四角形の提灯側係止開口が形成され、提灯側係止開口は上の提灯側が入り込む高さであり、かつ提灯側係止開口の下辺には上の提灯側と火袋１６の隙間に入れて上の提灯側１４を係止する係止片１５ａ，１５ｂが設けられている提灯保持枠。【選択図】  図３
2005206227.tif 000002
【特許請求の範囲】
【請求項１】
提灯を保持して提灯収納箱に収納する提灯保持枠であって、一枚のダンボール板に、その中央に底板が配置され、底板の両側に側板が配置され、それぞれの側板に上部押さえ板が接続され、底板の四隅とそれぞれの側板との折れ線の両端に、提灯保持枠を形成する際に起立して下の提灯側の４カ所の動きを規制する提灯側押さえが形成され、側板には、側板と上部押さえ板との折れ線を上辺とした四角形の提灯側係止開口が形成され、提灯側係止開口は上の提灯側が入り込む高さであり、かつ提灯側係止開口の下辺には上の提灯側と火袋の隙間に入れて上の提灯側を係止する係止片が設けられていることを特徴とする提灯保持枠。
【請求項２】
底板と側板の折れ線の中央に、側板を起立させた際に、外側に突出するスペーサ片が形成されていることを特徴とする請求項１記載の提灯保侍枠。
【請求項３】
底板の中央に下の提灯側の裏面に形成された桟の金具が入り込む孔を形成したことを特徴とする請求項１または２記載の提灯保持枠。
【請求項４】
請求項１、２または３記載の提灯保持枠を収納するダンボールで製作された提灯収納箱であって、上部の蓋の両側縁の折り曲げ片を内側に折り曲げて蓋に貼着し、箱の両側の側板の上縁は折り曲げ片の厚み分だけ正面板の上縁より下げて、蓋を閉めた際に折り曲げ片で提灯収納箱に収納された提灯保持枠の上部押さえ板を押さえるようにしたことを特徴とする提灯収納箱。
【請求項５】
提灯収納箱の底面に落とし込む付属品入れ箱が入る凹みを中央に形成した中板が、凹みが付属品入れ箱を入れて提灯保持枠を提灯収納箱に入れた際に、提灯保持枠の底板の孔から出ている金具が当たらない深さとなっていることを特徴とする請求項４記載の提灯収納箱。
【発明の詳細な説明】
【技術分野】
【０００１】
本発明は、提灯を箱に収納する際に、提灯を箱内に保持する提灯保持枠及びこれを収納する提灯収納箱に関する。
【背景技術】
【０００２】
提灯は、上下の側を寄せて火袋を折り畳んで箱に収納して保管や運搬が行われている。
【０００３】
図７（ａ）は従来の提灯収納の説明図、（ｂ）は提灯を提灯収納箱に収納した状態を示す断面図である。電球やコードなどの付属品は付属品入れ箱１９にまとめて収納する。提灯は、上下の提灯側６，１４を寄せて火袋１６を折り畳み、折り畳んだ火袋１６の中に帯状のボール紙２０を入れて火袋１６の内周に沿って接触するように巻いて火袋１６の変形を防止する。提灯収納箱１２に収納する際には、付属品入れ箱１９を提灯収納箱１２の底に置き、その上に中板２１ａを載せ、この中板２１ａの上に折り畳んだ提灯を載せ、さらに中板２１ｂを載せて収納する。
【発明の開示】
【発明が解決しようとする課題】
【０００４】
前記従来の提灯収納方法では、提灯収納箱に提灯を上下の中板で挟んで収納しているので、運搬中に提灯を確実に保持することができず、提灯側の上下や左右の移動により火袋に荷重がかかり、火袋が破れたりする場合があった。
【０００５】
また、折り畳んだ火袋の中に帯状のボール紙を巻いて出し入れするため、作業に手間が掛かり、さらに出し入れの際にボール紙によって火袋が破れたりすることもあった。
【０００６】
また、提灯を折り畳んだ際には、下の側の底面に桟があるなしによって、高さが異なるため、別々の箱を使用しているので、提灯の種類毎に箱を用意しなくてはならないという欠点があった。
【０００７】
そこで、本発明は、提灯を提灯収納箱に安定させて確実に保持することができる提灯保持枠及びこれを収納する提灯収納箱を提供するものである。
【課題を解決するための手段】
【０００８】
本発明の提灯保持枠は、提灯を保持して提灯収納箱に収納する提灯保持枠であって、１枚のダンボール板に、その中央に底板が配置され、底板の両側に側板が配置され、それぞれの側板に上部押さえ板が接続され、底板の四隅とそれぞれの側板との折れ線の両端に、提灯保持枠を形成する際に起立して下の提灯側の４ケ所の動さを規制する提灯側押さえが形成され、側板には、側板と上部押さえ板との折れ線を上辺とした四角形の提灯側係止開口が形成され、提灯側係止開口は上の提灯側が入る込む高さであり、かつ提灯側係止開口の下辺には上の提灯側と火袋の隙間に入れて上の提灯側を係止する係止片が設けられていることを特徴とする。
【０００９】
また、本発明の提灯保持枠を収納する提灯収納箱は、ダンボールで製作された提灯収納箱であって、上部の蓋の両側縁の折り曲げ片を内側に折り曲げて蓋に貼着し、箱の両側の側板の上縁は折り曲げ片の厚み分だけ正面板の上縁より下げて、蓋を閉めた際に折り曲げ片で提灯収納箱に収納された提灯保持枠の上部押さえ板を押さえるようにしたことを特徴とする。
【発明の効果】
【００１０】
本発明の提灯保持枠により、上提灯側が提灯側係止開口の下辺に支持されるとともに、係止片で係止され、側板で両側から押されているので、浮いた状態で提灯保持枠提灯を安定させて確実に保持することができる。上提灯側を浮かせた状態で保持できるので、提灯側の高さの異なる提灯も同一の提灯保持枠が使用でき、かつ同一の提灯収納箱を収納することができる。
【００１１】
また、本発明の提灯保持枠を収納する提灯収納箱は、蓋の折り曲げ片で提灯収納箱に収納された提灯保持枠の上部押さえ板を押さえることができ、提灯保持枠を提灯収納箱に安定して収納することができる。
【発明を実施するための最良の形態】
【００１２】
以下、図面に基づき発明を実施するための最良の形態を説明する。
【実施例】
【００１３】
図１は本発明の提灯保持枠を展開した状態を示す斜視図、図２（ａ）は本発明の提灯保持枠の側板を起立させた状態の正断面図、（ｂ）は同側断面図、（ｃ）は（ａ）のＡ−Ａの矢視図である。
【００１４】
図１において本発明の提灯保持枠１は、一枚のダンボール板を用いて形成する。ダンボール板には、中央に底板２が配置され、底板２の両側に側板３ａ，３ｂが配置され、それぞれの側板３ａ，３ｂに上部押さえ板４ａ，４ｂが接続され、各境界の折れ線５に沿って内側に直角に折り曲げることによりほぼ四角形の提灯保持枠１が形成される。
【００１５】
底板２の四隅と側板３ａ，３ｂとの折れ線５の両端には、提灯保持枠１を形成する際に起立して下の提灯側６の４ケ所を押さえる四角形の提灯側押さえ７が形成されている。提灯側押さえ７が下の提灯側６の金具６ｂ（図３参照）に当たらないように、内側に凹み７ａを形成する。また、中央に下の提灯側６の裏面に形成された桟９の金具６ｂが入り込む孔１０を形成し、提灯を安定させて載せることができる。
【００１６】
底板と側板の折れ線５の中央には、側板３ａ，３ｂを起立させて提灯保持枠１を形成した際に、外側に突出するスペーサ片１１ａ，１１ｂを形成する。スペーサ片１１は側板３ａ，３ｂを切り抜いて形成する。底板２の両側のスペーサ片１１ａ，１１ｂにより、提灯保持枠１が提灯収納箱１２（図５）にほぼ隙間なく収まるようにすることができる。
【００１７】
両側の側板３ａ，３ｂは同一形状であり、側板３ａ，３ｂには、側板３ａ，３ｂと上部押さえ板４ａ，４ｂの境界の折れ線５を上辺とした四角形の提灯側係止開口１３ａ，１３ｂが形成されている。提灯側係止開口１３ａ，１３ｂには上の提灯側１４（図３）が入る込む高さであり、提灯側係止開口１３ａ，１３ｂの下辺には上の提灯側と火袋の隙間に入れて係止する係止片１５ａ，１５ｂが設けられている。上の提灯側１４は係止片１５ａ，１５ｂを上の提灯側１４と火袋１６（図３）の隙間に入れて係止することができるので、桟９のあるなしに係わらず同一の提灯保持枠１で保持することができる。
【００１８】
上部押さえ板４ａ，４ｂは、上の提灯側１４の上面を押さえる幅を有し、上部押さえ板４ａ，４ｂには、上の提灯側１４に係止するための係止板１７ａ，１７ｂが形成され、係止板１７ａ，１７ｂを上の提灯側１４の中に折り込むことにより提灯保持枠１に提灯を保持する。
【００１９】
次に提灯保持枠に提灯を保持する手順について説明する。図３は本発明の提灯保持枠に提灯を保持した状態を示す斜視図である。
【００２０】
上下の提灯側６，１４を寄せて火袋１６を畳んだ提灯を提灯保持枠１の底板２に載せる。下の提灯側押さえ７の桟９の下部中央に金具６ｂが取り付けられている場合、金具６ｂが底板２の孔１０に入り込むので、提灯を安定して底板２に載せることができる。
【００２１】
次いで、一方の側板３ａを起立させ、上の提灯側１４を側板３ａの提灯側係止開口１３ａに入れ、係止片１５ａを上の提灯側１４と火袋１６の隙間に入れて係止する。次いで、上部押さえ板４ａを上の提灯側１４の上面に曲げて載せ、係止板１７ａを提灯側の開口に曲げ込んで上部押さえ板４ａを固定する。
【００２２】
他方の側板３ｂについても同様にして係止片１５ｂを上の提灯側１４と火袋１６の隙間に入れて係止し、上部押さえ板４ｂを上の提灯側１４の上面に曲げて載せ、係止板１７ｂを上の提灯側１４の開口に曲げ込んで上部押さえ板４ｂを固定する。
【００２３】
前記の手順により、上の提灯側１４は、提灯側係止開口１３ａ，１３ｂの下辺に支持されるとともに、係止片１５ａ，１５ｂで係止され、側板３ａ，３ｂで両側から押されているので、浮いた状態で提灯保持枠１に確実に保持される。また、前記手順において、側板３ａ，３ｂを起立させると、下の提灯側押さえ７が起立して下の提灯側６の移動を規制する。
【００２４】
したがって、上の提灯側１４と下の提灯側６が提灯保持枠１にしっかりと保持され、火袋１６を傷めることはない。
【００２５】
また、下の提灯側６は下の提灯側押さえ７に金具６ｂが入ることができる凹み７ａが形成されているので、金具６ｂが下の提灯側押さえ７に当たらないため金具６ｂを傷めることもない。
【００２６】
このようにして提灯を保持した提灯保持枠１を提灯収納箱に収納して保管あるいは運搬する。
【００２７】
次に、提灯を保持した提灯保持枠１を収納する提灯収納箱１２について説明する。
【００２８】
図４は本発明の提灯保持枠の収納に使用する提灯収納箱の上部を示す斜視図、図５は本発明の提灯収納箱の底に敷く下中板の形状を示す斜視図、図６は提灯収納箱に提灯を収納した状態を示す断面図である。
【００２９】
提灯収納箱１２は、ダンボールで製作され、上部の蓋１８の両側縁は、折り曲げ片１８ａを内側に折り曲げて蓋１８に貼着する。箱の側板１２ａの上縁１２ｂは折り曲げ片１８ａの厚み分だけ正面板１２ｃの上縁１２ｄより下げて、蓋１８を閉めた際に水平になるようにする。蓋を水平にすることにより、折り曲げ片１８ａ，１８ｂで提灯収納箱１２に収納された提灯保持枠１の上部押さえ板４ａ，４ｂを押さえることができ、提灯保持枠１を提灯収納箱１２に安定して収納することができる。また、折り曲げ片１８ａを折り曲げることによりダンボールの断面が見えなくなり体裁をよくすることができる。
【００３０】
箱１２の底面には、コード、電球、房などの付属品入れる付属品入れ箱１９が入る凹み２０ａを中央に形成した中板２０を落とし込む。中板２０の凹み２０ａが付属品入れ箱２０を入れて提灯保持枠１を提灯収納箱１２に入れた際に、底板２の孔１０から出ている金具６ｂが当たらない深さとなっているので、提灯保持伜１を安定して収納することができる。
【産業上の利用可能性】
【００３１】
本発明による提灯保持枠及びこれを収納する提灯収納箱は、祭事用、仏事用、装飾用のみならず、各種の提灯に利用できる。
【図面の簡単な説明】
【００３２】
【図１】本発明の提灯保持枠を展開した状態を示す斜視図である。
【図２】（ａ）は本発明の提灯保持枠の側板を起立させた状態の正断面図、（ｂ）は側板を起在させた状態の側断面図、（ｃ）は（ａ）のＡ−Ａの矢視図である。
【図３】本発明の提灯保持枠に提灯を保持した状態を示す斜視図である。
【図４】本発明の提灯保持枠の収納に使用する提灯収納箱の上部を示す斜視図である。
【図５】本発明の提灯収納箱の底に敷く下中板の形状を示す斜視図である。
【図６】提灯収納箱に提灯を収納した状態を示す断面図である。
【図７】（ａ）は従来の提灯収納の説明図、（ｂ）は提灯を提灯収納箱に収納した状態を示す断面図である。
【符号の説明】
【００３３】
１：提灯保持枠    ２：底板    ３ａ，３ｂ：側板    ４ａ，４ｂ：上部押さえ板  ５：折れ線    ６：下の提灯側    ６ｂ：金具    ７：下の提灯側押さえ    ７ａ：凹み    ９：桟    １０：孔    １１ａ，１１ｂ：スペーサ片    １２：提灯収納箱    １２ａ：側板    １２ｂ：側板の上縁    １２ｃ：正面板    １２ｄ：正面板の上縁    １３ａ，ｌ３ｂ：提灯側係止開口    １４：上の提灯側    １５ａ，１５ｂ：係止片    １６：火袋    １７ａ，１７ｂ：係止板    １８：蓋    １８ａ，１８ｂ：折り曲げ片    １９：付属品入れ箱    ２０：中板    ２０ａ：中板の凹み
【図１】
2005206227.tif 000003
【図２】
2005206227.tif 000004
【図３】
2005206227.tif 000005
【図４】
2005206227.tif 000006
【図５】
2005206227.tif 000007
【図６】
2005206227.tif 000008
【図７】
2005206227.tif 000009